(57)【要約】【課題】空間的に水温変化が大きい海洋環境下や、時間的に水温変化が大きい海洋環境下であっても、周辺海域の正確な水温分布データを取得し、この水温分布データをパラメータとして水測機器の能力を高精度に予測する。【解決手段】水温分布予報データにもとづいて水測機器の能力を予測するにあたり、水測機器を運用するビークルｎ、及び／又は、その周辺に位置する一又は二以上のビークル１〜Ｎにて、所定の水温データを計測する水温計測部１−１〜１−Ｎと、海洋予報システムで生成された水温分布予報データを取得する予報データ取得部５と、取得した水温分布予報データを、ビークル１〜Ｎにて実際に計測した水温データにもとづいて修正する同化処理部６とを備える。【選択図】図１
2010122081.tif 000002
【特許請求の範囲】
【請求項１】
水測機器を運用する移動体、及び／又は、その周辺に位置する一又は二以上の各移動体において、所定の水温データを計測する水温計測手段と、
所定の海洋予報システムで生成された水温分布予報データを取得する予報データ取得手段と、
前記予報データ取得手段により取得された水温分布予報データを、前記水温計測手段により各移動体において計測された水温データにもとづいて修正する予報データ修正手段と、を備える
ことを特徴とする水測能力予測システム。
【請求項２】
前記水温計測手段は、
水測機器を運用する移動体、及び／又は、その周辺に位置する一又は二以上の各移動体にて、鉛直水温分布データを計測し、
前記予報データ取得手段は、
前記所定の海洋予報システムで生成された３次元の水温分布予報データを取得し、
前記予報データ修正手段は、
前記予報データ取得手段により取得された３次元の水温分布予報データを、前記水温計測手段により各移動体において計測された鉛直水温分布データにもとづいて修正する
ことを特徴とする請求項１記載の水測能力予測システム。
【請求項３】
前記予報データ修正手段により修正された水温分布予報データをパラメータとして水測機器の能力を予測する予測処理手段を備える
ことを特徴とする請求項１又は２記載の水測能力予測システム。
【請求項４】
前記移動体において計測された水温データを送信するデータ送信手段と、
前記移動体から送信された水温データを受信するデータ受信手段と、
受信した水温データを管理するデータ管理手段と、を更に備える
ことを特徴とする請求項１乃至３のいずれか一項記載の水測能力予測システム。
【請求項５】
前記データ受信手段、前記データ管理手段、前記予報データ取得手段、前記予報データ修正手段及び前記予測処理手段が、一の移動体に集中装備されることを特徴とする請求項４記載の水測能力予測システム。
【請求項６】
前記データ管理手段、前記予報データ修正手段及び前記予測処理手段が、複数の移動体に分散装備されることを特徴とする請求項４記載の水測能力予測システム。
【請求項７】
前記データ管理手段が、各移動体から送信された水温データのデータ形式を所定のデータ形式に統一させるデータ形式変換機能を備えることを特徴とする請求項４乃至６のいずれか一項記載の水測能力予測システム。
【請求項８】
水測機器を運用する移動体、及び／又は、その周辺に位置する一又は二以上の各移動体において、所定の水温データを計測するステップと、
所定の海洋予報システムで生成された水温分布予報データを取得するステップと、
前記所定の海洋予報システムから取得した水温分布予報データを、前記各移動体において計測された水温データにもとづいて修正するステップと、を有する
ことを特徴とする水測能力予測方法。
【請求項９】
前記所定の水温データを計測するステップが、
水測機器を運用する移動体、及び／又は、その周辺に位置する一又は二以上の各移動体にて、鉛直水温分布データを計測し、
前記水温分布予報データを取得するステップが、
前記所定の海洋予報システムで生成された３次元の水温分布予報データを取得し、
前記水温分布予報データを修正するステップが、
前記所定の海洋予報システムから取得した３次元の水温分布予報データを、前記移動体において計測された鉛直水温分布データにもとづいて修正する
ことを特徴とする請求項８記載の水測能力予測方法。
【請求項１０】
所定の水温分布予報データにもとづいて水測機器の能力を予測するコンピュータを、
水測機器を運用する移動体、及び／又は、その周辺に位置する一又は二以上の各移動体において、所定の水温データを計測する水温計測手段、
所定の海洋予報システムで生成された水温分布予報データを取得する予報データ取得手段、
前記予報データ取得手段により取得された水温分布予報データを、前記水温計測手段により各移動体において計測された水温データにもとづいて修正する予報データ修正手段
として機能させることを特徴とする水測能力予測プログラム。
【請求項１１】
前記水温計測手段が、
水測機器を運用する移動体、及び／又は、その周辺に位置する一又は二以上の各移動体にて、鉛直水温分布データを計測し、
前記予報データ取得手段が、
前記所定の海洋予報システムで生成された３次元の水温分布予報データを取得し、
前記予報データ修正手段が、
前記予報データ取得手段により取得された３次元の水温分布予報データを、前記水温計測手段により各移動体において計測された鉛直水温分布データにもとづいて修正する
ことを特徴とする請求項１０記載の水測能力予測プログラム。
【請求項１２】
所定の水測機器を搭載した移動体であって、
当該移動体、及び／又は、その周辺に位置する一又は二以上の各移動体において計測された所定の水温データを取得する計測データ取得手段と、
所定の海洋予報システムで生成された水温分布予報データを取得する予報データ取得手段と、
前記予報データ取得手段により取得された水温分布予報データを、前記計測データ取得手段により取得された各移動体において計測された水温データにもとづいて修正する予報データ修正手段と、を備える
ことを特徴とする水測機器搭載移動体。
【請求項１３】
前記計測データ取得手段は、
前記当該移動体、及び／又は、その周辺に位置する一又は二以上の移動体にて計測された鉛直水温分布データを取得し、
前記予報データ取得手段は、
前記所定の海洋予報システムで生成された３次元の水温分布予報データを取得し、
前記予報データ修正手段は、
前記予報データ取得手段により取得された３次元の水温分布予報データを、前記計測データ取得手段により取得された各移動体において計測された鉛直水温分布データにもとづいて修正する
ことを特徴とする請求項１２記載の水測機器搭載移動体。
【発明の詳細な説明】
【技術分野】
【０００１】
本発明は、ソーナーシステム、魚群探知機などの水測機器の能力を予測する水測能力予測システム、水測能力予測方法、水測能力予測プログラム及び水測機器搭載移動体に関する。
【背景技術】
【０００２】
ソーナーシステムなどの水測機器を備えた船、潜水艦、飛行機、ヘリコプタなどのビークル（移動体）は、水測機器の能力が海洋の水温分布によって大きく変化するため、水測機器が運用される海域の水温分布状況からその能力を予測する手段を備えることが好ましい。
【０００３】
水測機器の能力を予測する方法としては、水測機器を運用するビークルにおいて、鉛直水温分布を計測し、この計測データをパラメータとして水測機器の能力を予測する方法や、水測機器を運用するビークルにおいて、海洋予報システム（水温分布予報システム）で生成された３次元の水温分布予報データを取得し、この予報データをパラメータとして水測機器の能力を予測する方法が知られている（特許文献１−３参照。）。
以下、これらの水測能力予測方法を実施するための構成及びその動作について説明する。
【０００４】
図４は、一般的な水測能力予測方法を実施するための構成を示すブロック図である。
この図に示すように、水測機器の運用現場でその能力予測を実施する場合、水測機器を運用するビークルには、水温計測部１０１、予報データ取得部１０２、予測処理部１０３などが搭載される。
なお、水温計測部１０１は、鉛直方向の水温分布を計測可能なものであり、例えば、特許文献１、２に示されるような公知の水温計測方法を用いることができる。
【０００５】
前者の方法で水測機器の能力を予測する場合は、まず、水測機器を運用するビークルにおいて、水温計測部１０１で深度対水温のデータを適宜計測し、ピンポイントの鉛直水温分布データファイルを生成する。
生成したピンポイントの鉛直水温分布データファイルのうち、最新のデータを海洋環境パラメータとして利用し、予測処理部１０３で水測機器能力の予測計算を実施する。
【０００６】
一方、後者の方法で水測機器の能力を予測する場合は、まず、水測機器を運用するビークルにおいて、海洋予報システムで生成された３次元の水温分布予報データを予報データ取得部１０２で取得する。この３次元の水温分布データを海洋環境パラメータとして利用し、予測処理部１０３で水測機器能力の予測計算を実施する。
【０００７】
【特許文献１】特開平０５−０３４２０６号公報
【特許文献２】特開平０５−０６６２７３号公報
【特許文献３】特開２００８−１０７９６３号公報
【発明の開示】
【発明が解決しようとする課題】
【０００８】
しかしながら、前者の水測能力予測方法では、ピンポイントで計測された海洋環境（鉛直水温分布）が水平面内で一様に広がっているという仮定のもとで水測機器の能力が計算されることになるので、空間的に水温変化が大きい海洋環境下では予測誤差が大きくなるという問題があった。
【０００９】
一方、後者の水測能力予測方法では、３次元の水温分布予報データを利用するため、周辺海域の水温分布が考慮された水測能力予測を行うことが可能であるが、水測機器の運用タイミング（水測能力の予測タイミング）と、水温分布予報データの予報タイミングとに隔たりが生じると、時間的に水温変化が大きい海洋環境下では水温分布の予報精度が劣化し、予測誤差が大きくなるという問題があった。
【００１０】
なお、上記の問題は、周辺海域の多数ポイントで鉛直水温分布データを実際に計測し、これらの実測データから生成される３次元の水温分布データを用いて、水測機器の能力を予測すれば、解決することが可能であるが、周辺海域の多数ポイントで鉛直水温分布データをリアルタイムに計測することは実質的に困難である。
また、特許文献３に示すように、観測船によって鉛直水温分布を計測するとともに、人工衛星によって海面の水温を計測し、計測データが存在しないポイントについては水温を推定することにより、３次元の水温分布データを生成することも考えられるが、この方法では、実測値をベースとし、推定値で補間しているため、多くの実測値が得られない状況では、生成される水温分布データの精度が著しく低下し、水測機器の能力予測が困難になるという問題がある。
【００１１】
本発明は、上記の事情にかんがみなされたものであり、空間的に水温変化が大きい海洋環境下や、時間的に水温変化が大きい海洋環境下であっても、周辺海域の正確な水温分布データを取得し、この水温分布データをパラメータとして水測機器の能力を高精度に予測することができる水測能力予測システム、水測能力予測方法、水測能力予測プログラム及び水測機器搭載移動体の提供を目的とする。
【課題を解決するための手段】
【００１２】
上記目的を達成するため本発明の水測能力予測システムは、水温分布予報データにもとづいて水測機器の能力を予測するにあたり、水測機器を運用する移動体、及び／又は、その周辺に位置する一又は二以上の移動体にて、所定の水温データを計測する水温計測手段と、海洋予報システムで生成された水温分布予報データを取得する予報データ取得手段と、取得した水温分布予報データを、前記移動体にて実際に計測した水温データにもとづいて修正する予報データ修正手段と、を備える構成としてある。
【００１３】
また、上記目的を達成するため本発明の水測能力予測方法は、水温分布予報データにもとづいて水測機器の能力を予測するにあたり、水測機器を運用する移動体、及び／又は、その周辺に位置する一又は二以上の移動体にて、所定の水温データを計測し、海洋予報システムで生成された水温分布予報データを取得し、取得した水温分布予報データを、前記移動体にて実際に計測した水温データにもとづいて修正する方法としてある。
【００１４】
また、上記目的を達成するため本発明の水測能力予測プログラムは、水温分布予報データにもとづいて水測機器の能力を予測するにあたり、コンピュータに、水測機器を運用する移動体、及び／又は、その周辺に位置する一又は二以上の移動体にて計測された所定の水温データを取得させ、海洋予報システムで生成された水温分布予報データを取得させ、取得した水温分布予報データを、前記移動体にて実際に計測した水温データにもとづいて修正させる構成としてある。
【００１５】
また、上記目的を達成するため本発明の水測機器搭載移動体は、水温分布予報データにもとづいて水測機器の能力を予測するにあたり、水測機器を運用する移動体、及び／又は、その周辺に位置する一又は二以上の移動体にて計測された所定の水温データを取得する計測データ取得手段と、海洋予報システムで生成された水温分布予報データを取得する予報データ取得手段と、取得した水温分布予報データを、前記移動体にて実際に計測した水温データにもとづいて修正する予報データ修正手段と、を備える構成としてある。
【発明の効果】
【００１６】
本発明によれば、空間的に水温変化が大きい海洋環境下や、時間的に水温変化が大きい海洋環境下であっても、周辺海域の正確な水温分布データを取得し、この水温分布データをパラメータとして水測機器の能力を高精度に予測することができる。
【発明を実施するための最良の形態】
【００１７】
以下、本発明の好ましい実施形態について、図面を参照して説明する。
［第一実施形態］
図１は、本発明の第一実施形態に係る水測能力予測システムの構成を示すブロック図、図２は、本発明の第一実施形態に係る水測能力予測システムの適用例を示すブロック図である。
これらの図に示すように、本発明の第一実施形態に係る水測能力予測システムは、ソーナーシステムなどの水測機器が運用されるビークル（水測機器搭載移動体：本実施形態では水測機器の能力予測を実施するビークルｎ）及びその周辺海域で運用されているビークル１〜Ｎにおいて、それぞれのビークル１〜Ｎに搭載される水温計測部（水温計測手段）１−１〜１−Ｎ及びデータ送信部（データ送信手段）２−１〜２−Ｎや、水測機器の能力予測を実施するビークルｎに搭載されるデータ受信部（データ受信手段、計測データ取得手段）３、データ管理部（データ管理手段）４、予報データ取得部（予報データ取得手段）５、同化処理部（予報データ修正手段）６及び予測処理部（予測処理手段）７から構成されている。
【００１８】
水温計測部１−１〜１−Ｎは、各ビークル１〜Ｎにおいて適宜鉛直水温分布を計測し、ピンポイントの深度対水温のデータファイルを生成する機能を有している。なお、水測機器の能力予測を実施するビークルｎが、水測機器を運用するビークルである場合は、ビークルｎにも水温計測部が搭載される。
データ送信部２−１〜２−Ｎは、各ビークル１〜Ｎで計測された鉛直水温分布データ（深度対水温のデータファイル）を、無線通信手段等によるデータ交換のネットワークを介して、水測機器の能力予測を実施するビークルｎに送信する機能を有する。
【００１９】
ビークルｎに搭載されているデータ受信部３は、各ビークル１〜Ｎから送信された鉛直水温分布データを受信する機能を有する。なお、ビークルｎに搭載されているデータ送信部からは、ビークルｎ内の有線通信手段を介して、データ受信部３に鉛直水温分布データを送信することも可能である。
ビークルｎに搭載されているデータ管理部４は、受信した各ビークル１〜Ｎの鉛直水温分布データを格納し、計測位置／計測時刻をフラグとしてアクセスを制御する機能を有する。また、データ管理部４は、ビークル１〜Ｎが異なる形式で鉛直水温分布データを送信する場合に、それらのデータ形式を統一するためのデータ形式変換機能を有する。
ビークルｎに搭載されている予報データ取得部５は、海洋予報システムで生成された３次元の水温分布予報データを取得し、ビークルｎに搭載されている同化処理部６に出力する機能を有する。
【００２０】
同化処理部６は、３次元の水温分布予報データを、各ビークル１〜Ｎで実際に計測した鉛直水温分布データにもとづいて修正する機能を有する。具体的には、特定の時間内に各ビークル１〜Ｎで計測された鉛直水温分布データをデータ管理部４より抽出し、最新の水温分布予報データと同化処理することにより、水温分布予報データを水測機器が運用される海域における実際の３次元水温分布に近い状態に修正して出力する。この同化処理は、例えば、特開２００４−０８５３９４号公報に示されるデータ同化手法を用いて、特定の時間内に複数点でサンプルされた鉛直水温分布データと３次元の水温分布予報データを統合することにより可能となる。
【００２１】
ビークルｎに搭載されている予測処理部７は、同化処理部６より出力された３次元の水温分布データを海洋環境パラメータとして入力し、現場海域で運用される水測機器の能力、例えば、音響信号の伝搬状況や、水中物体の捜索可能エリアなどを予測計算し、表示出力する機能を有する。
なお、本実施形態のデータ受信部３、データ管理部４、予報データ取得部５、同化処理部６、予測処理部７などは、本発明に係る水測能力予測プログラムにしたがって動作するコンピュータによって構成することができる。
【００２２】
つぎに、本発明の第一実施形態に係る水測能力予測システムの動作（水測能力予測方法）について、図１及び図２を参照して説明する。
まず、水測機器を運用するビークル（本実施形態では水測機器の能力予測を実施する特定のビークルｎ）と、その周辺海域で行動するビークル１〜Ｎにおいて、定期的に、又は水測機器を運用する直前のタイミングで、それぞれのビークル１〜Ｎに搭載される水温計測部１−１〜１−Ｎが深度対水温のデータを計測し、計測位置／計測時刻の情報がヘッダ付与されたピンポイントの鉛直水温分布データファイルを生成する。水温計測部１−１〜１−Ｎにおいて水温を計測するセンサとしては、一般的にＸ−ＢＴ装置やＢＴソノブイなどが用いられる。
【００２３】
つぎに、それぞれのビークル１〜Ｎで生成された最新のデータファイルを、データ交換のネットワークを介して、それぞれのビークル１〜Ｎに搭載されるデータ送信部２−１〜２−Ｎから、水測機器の能力予測を実施するビークルｎに搭載されるデータ受信部３に送信する。
データ交換のネットワークとしては、一般的に衛星通信装置やＵＨＦ／ＶＨＦ無線装置などによる無線回線があるほか、水測機器の能力予測を実施するビークルｎに搭載されているデータ送信部とデータ受信部３の間では、ビークルｎ内のＬＡＮなどの有線回線が用いられる。
【００２４】
データ受信部３で受信された各ビークル１〜Ｎの最新データファイルは、水測機器の能力予測を実施するビークルｎに搭載されるデータ管理部４に順次格納、蓄積され、データ管理部４のアクセス制御機能により、計測位置／計測時刻をフラグとしてデータアクセスが可能になる。
また、ビークル１〜Ｎが異なるデータ形式で鉛直水温分布データファイルを送信してきた場合は、データ管理部４のデータ形式変換機能によりデータ形式を統一する。
【００２５】
一方、図２に示す海洋予報システムでは、３次元の水温分布予報データが生成される。
この水温分布予報データは、水測機器の能力予測を実施するビークルｎに搭載される予報データ取得部５に入力、保管される。３次元の水温分布予報データは、海洋予報システムにより生成される緯度・経度グリッドの深度対水温のデータ（鉛直水温分布データ）であり、一般的に数時間から数日間隔で予報が行われ、データが生成される。また、これらの予報データを海洋予報システムからビークルｎ上の予報データ取得部５まで移動させる手段としては、ビークルｎが出港する度に電子媒体によりハンドキャリーする場合や、衛星通信など用いたオンライン伝送による場合がある。
【００２６】
水温分布予報データは、このような予報間隔及びデータ移動手段によって扱われるため、水測機器を運用するタイミングと水温分布データを予報したタイミングが隔たり、予報精度が保てなくなることから、水温分布予報データをそのまま用いて水測機器の能力予測を行うと、予測誤差が大きくなるという問題が生じる。
そこで、水測機器の能力予測を実施するビークルｎにおいて、水測機器の運用時を基準とする最新の水温分布予報データと、周辺海域のビークル１〜Ｎが計測した最新の鉛直水温分布データを同化処理し、３次元水温分布の予報精度や計測精度を補償したうえで、水測機器の能力予測に使用する。
【００２７】
上記の同化処理を行う場合は、まず、予報データ取得部５から最新の水温分布予報データを同化処理部６に入力する。
つぎに、特定の時間内に各ビークル１〜Ｎで計測された最新の鉛直水温分布データを、データ管理部４に蓄積されたデータから抽出し、同化処理部６に入力する。
ここでデータが抽出される計測時間の範囲は、水測機器の運用者により設定される値であり、時間的な水温変化が大きい場合ほど短時間の設定となる。
つぎに、同化処理部６において最新の水温分布予報データと最新の鉛直水温分布データを同化処理し、水温分布予報データを運用現場周辺の実際の３次元水温分布により近い状態に修正する。この同化処理は、例えば、特開２００４−０８５３９４号公報に示されているデータ同化手法を用いて実現することが可能である。前記特許文献では、海洋予報データの一部を修正して同化処理に用いることが述べられているが、本発明はこの修正内容として現場周辺海域で計測された複数の鉛直水温分布データを当てはめるものである。
【００２８】
同化処理部６で生成された３次元の水温分布データは、水測機器の能力予測を実施するビークルｎに搭載される予測処理部７に入力される。
予測処理部７では、入力された３次元の水温分布データを海洋環境パラメータとして、現場海域で運用される水測機器の能力、例えば、音響信号の伝搬状況、残響や雑音に対する検知信号のエクセス状況、水中物体の捜索可能エリアなどを予測計算し、これを表示出力する。
【００２９】
以上のように構成された本発明の第一実施形態に係る水測能力予測システムによれば、水温分布予報データにもとづいて水測機器の能力を予測するにあたり、水測機器を運用するビークル（本実施形態では水測機器の能力予測を実施する特定のビークルｎ）、及び／又は、その周辺に位置する一又は二以上のビークル１〜Ｎにて、所定の水温データを計測する水温計測部１−１〜１−Ｎと、海洋予報システムで生成された水温分布予報データを取得する予報データ取得部５と、取得した水温分布予報データを、ビークル１〜Ｎにて実際に計測した水温データにもとづいて修正する同化処理部６とを備えるので、空間的に水温変化が大きい海洋環境下や、時間的に水温変化が大きい海洋環境下であっても、周辺海域の正確な水温分布データを取得し、この水温分布データをパラメータとして水測機器の能力を高精度に予測することができる。
しかも、水温分布予報データをベースとし、これを実測値にもとづいて修正するので、多くの実測値が得られない状況でも、水温分布予報データにもとづいて水測機器の能力予測を継続的に実施することができる。
【００３０】
また、水温計測部１−１〜１−Ｎは、鉛直水温分布データを計測し、予報データ取得手段５は、海洋予報システムで生成された３次元の水温分布予報データを取得し、同化処理部６は、３次元の水温分布予報データを、実際に計測した鉛直水温分布データにもとづいて修正するので、予測処理部７は、修正された３次元の水温分布予報データをパラメータとして水測機器の３次元の能力を予測することができる。
【００３１】
また、ビークル１〜Ｎにて計測した水温データを送信するデータ送信部２−１〜２−Ｎと、ビークル１〜Ｎから送信された水温データを受信するデータ受信部３と、受信した水温データを管理するデータ管理部４とを備えるので、各ビークル１〜Ｎにて計測した水温データを効率的に収集・管理し、水測機器の運用に資するデータベースとして提供することができる。
【００３２】
また、本実施形態の水測能力予測システムでは、データ受信部３、データ管理部４、予報データ取得部５、同化処理部６及び予測処理部７が、一のビークルｎに集中装備されるので、一連の水測能力予測処理を効率良く実施することができる。
さらに、本実施形態のデータ管理部４は、各ビークル１〜Ｎから送信された水温データのデータ形式を所定のデータ形式に統一させるデータ形式変換機能を備えるので、データ形式が異なる水温計測部１−１〜１−Ｎの水温データも有効活用し、より高精度な水温分布データを取得することが可能になる。
【００３３】
［第二実施形態］
つぎに、本発明の第二実施形態に係る水測能力予測システムについて、図３を参照して説明する。ただし、前記実施形態と共通の構成については、前記実施形態と同じ符号を付けることにより、前記実施形態の説明を援用する。
図３は、本発明の第二実施形態に係る水測能力予測システムの構成を示すブロック図である。
【００３４】
この図に示すように、第二実施形態の水測能力予測システムは、データ管理部４、同化処理部６及び予測処理部７が、複数のビークルに分散装備される点が第一実施形態と相違している。
例えば、専ら計測データの収集、蓄積を実施するビークルにデータ受信部３及びデータ管理部４を装備し、専ら同化処理を実施するビークルに予報データ取得部５及び同化処理部６を装備し、専ら水測機器の能力予測を実施するビークルに予測処理部７を装備し、これらをリアルタイムのデータ交換を可能するネットワークを介して接続する。
【００３５】
このようにすると、大規模な水測能力予測システムを構築する場合に、その処理負荷を複数のビークルで分担することができる。
なお、水測機器を運用するビークルは、少なくとも予測処理部７を備え、自ら水測機器の能力予測を実施することが好ましいが、他のビークルで実施された能力予測の結果を取得するようにしてもよい。
【００３６】
以上、本発明の実施形態について説明したが、本発明は、前記実施形態に限定されず、特許請求の範囲内で適宜変更できることは勿論である。
例えば、前記実施形態では、各ビークルにて鉛直水温分布データを計測しているが、鉛直水温分布データ以外の水温データ（例えば、一定深度の水温データ、海面の水温データなど）を計測するようにしてもよい。また、前記実施形態で取り扱う水温分布予報データは３次元であるが、２次元の水温分布予報データとしてもよい。
【産業上の利用可能性】
【００３７】
本発明は、対潜用艦船、漁船、海洋観測船などに搭載されるソーナーシステム、魚群探知器、海底探査装置などの水測機器の能力予測に適用することができる。
【図面の簡単な説明】
【００３８】
【図１】本発明の第一実施形態に係る水測能力予測システムの構成を示すブロック図である。
【図２】本発明の第一実施形態に係る水測能力予測システムの適用例を示すブロック図である。
【図３】本発明の第二実施形態に係る水測能力予測システムの構成を示すブロック図である。
【図４】一般的な水測能力予測方法を実施するための構成を示すブロック図である。
【符号の説明】
【００３９】
ｎ  ビークル（水測機器の能力予測を実施するビークル）
１〜Ｎ  ビークル（周辺海域で水温分布を計測するビークル）
１  水温計測部
２  データ送信部
３  データ受信部
４  データ管理部
５  予報データ取得部
６  同化処理部
７  予測処理部
【図１】
2010122081.tif 000003
【図２】
2010122081.tif 000004
【図３】
2010122081.tif 000005
【図４】
2010122081.tif 000006